(57)【要約】【課題】  グリルバーナの火力を表示するための発光ダイオードの個数を極力少なくし、かつ乾電池の寿命を延ばすことが可能なガスこんろを提供する。【解決手段】  本発明のガスこんろ１は、１つ以上のこんろバーナ６ａ〜６ｃと、こんろ本体４内部に収容されるグリル庫７と、グリル庫７内に配置されたグリルバーナと、グリルバーナの火力を表示する複数の表示素子を配列したグリル用火力表示部１０とを備えている。火力表示装置は、強火用ＬＥＤと、弱火用ＬＥＤと、これらのＬＥＤに電気接続する乾電池とを備える。強火用ＬＥＤは、火力表示部１０の後方に配置され、グリルバーナの火力が強のとき表示素子の全てを点灯させる。弱火用ＬＥＤは、グリルバーナの火力が弱のとき、強火用ＬＥＤの照射光と直交する方向の照射光が所定の表示素子に入射して１個の表示素子のみを点灯させる。【選択図】    図１
2006288450.tif 000002
【特許請求の範囲】
【請求項１】
少なくとも１つのこんろバーナと、こんろ本体内部に収容されるグリル庫と、グリル庫内に配置されたグリルバーナと、グリルバーナの火力を表示する複数の表示素子を配列したグリル用火力表示部とを備えたガスこんろにおいて、グリル用火力表示部を点灯させる表示装置は、強火用発光ダイオードと、弱火用発光ダイオードと、強火用発光ダイオード及び弱火用発光ダイオードに電気接続する乾電池とを備え、強火用発光ダイオードは、グリル用火力表示部の後方に配置されていて、グリルバーナの火力が強のとき表示素子の全てを点灯させ、弱火用発光ダイオードは、グリルバーナの火力が弱のとき、強火用発光ダイオードの照射光と直交する方向の照射光が所定の表示素子に入射して１個の表示素子のみを点灯させることを特徴とするガスこんろ。
【請求項２】
前記弱火用発光ダイオードからの光が照射される所定の表示素子は光透過性部材で構成されると共に、前記火力表示部に対向する光透過性部材の端部が光の入射側から出射側端縁に向かう傾斜面をなすことを特徴とする請求項１記載のガスこんろ。
【請求項３】
前記複数の表示素子が一列に配置されていることを特徴とする請求項１又は２に記載のガスこんろ。
【請求項４】
前記グリルバーナが上火バーナ及び下火バーナから構成され、上火バーナ及び下火バーナの火力をそれぞれ表示するグリル用火力表示部が上下２段に配列された上部表示素子及び下部表示素子からなり、上部表示素子及び下部表示素子に対応してそれぞれ強火用発光ダイオード及び弱火用発光ダイオードを備えると共に、各弱火用発光ダイオードは所定の上部表示素子の上方及び所定の下部表示素子の下方にそれぞれ配置されていることを特徴とする請求項１〜３のいずれかに記載のガスこんろ。
【請求項５】
前記各強火用発光ダイオードと上部表示素子及び下部表示素子との間に導光筒が介在し、上部表示素子を点灯させる上部の強火用発光ダイオードと下部表示素子を点灯させる下部の強火用発光ダイオードの照射光が互いに干渉しないように、導光筒内に仕切板が設けられていることを特徴とする請求項４記載のガスこんろ。
【発明の詳細な説明】
【技術分野】
【０００１】
本発明は、グリルバーナの火力を表示する火力表示部を備えたガスこんろに関する。より詳細には、本発明のガスこんろは、火力表示部に複数の表示素子が配列され、点灯する表示素子の個数に違いをもたせることよりグリルバーナの火力を表示するものである。
【背景技術】
【０００２】
機能性を高めたガスこんろとして、被調理物の設定調理温度やバーナの火力の状態を表示する表示部を前面パネルに設けたものがある。
例えば、特許文献１には、設定温度選択スイッチと複数のＬＥＤ（発光ダイオード）とからなる温度表示部を設け、バーナの点火時には設定温度を表示するＬＥＤのみを点滅させ、加熱途中では被調理物の現在温度までの全ＬＥＤを点灯させ、設定温度到達後にはそれより低い全ての温度を表示するＬＥＤを点滅させるガステーブルの温度表示装置が開示されている。しかし、この温度表示装置は、被調理物の加熱途中から設定温度到達後の間、複数の温度表示用ＬＥＤを点灯又は点滅させるため、上記装置を乾電池内蔵のガスこんろに応用した場合、乾電池の消費電力が大きいという問題がある。
【０００３】
乾電池の消費電力を少なくしたガス調理器が、例えば特許文献２に提案されている。このガス調理器では、火力を表示する複数の表示用素子からなる表示部が設けられ、バーナの点火操作を行うと、設定された火力に対応した表示用素子を点灯させるものである。しかし、特許文献２のガス調理器は、各表示用素子に対応して複数のＬＥＤを備えており、ＬＥＤの個数が多いという問題がある。なお、グリルバーナの火力を表示する特許文献２の表示部には、一列の表示用素子が配列されているだけで、グリル庫内に上下ガスバーナを備えたガス調理器については考慮されていない。
また、グリル庫内に上火バーナ及び下火バーナを備え、図６に示すグリル用火力表示部を設けたガスこんろが知られている。この火力表示部には、各表示用素子に対応して６個のＬＥＤが使用される。そして、グリルの上火及び下火の火力が強の場合、それぞれ３個のＬＥＤを点灯させ、上火及び下火の火力が弱の場合、それぞれ中央のＬＥＤのみを点灯させるものである。
【特許文献１】実開昭６３−９９１０１号公報
【特許文献２】特開２００１−４１４４号公報
【発明の開示】
【発明が解決しようとする課題】
【０００４】
しかしながら、図６に示すグリル用火力表示部を設けたガスこんろにおいても、ＬＥＤを６個使用する必要があり、ＬＥＤの個数が多くそれだけコスト高になるという問題がある。しかも、上火及び下火の火力が共に強の場合、全てのＬＥＤが点灯するので、消費電力が大きくなり乾電池の寿命が短くなってしまうという問題がある。また、上記火力表示部を例えばグリル庫内に上火バーナのみを備えたガスこんろに応用した場合、３個のＬＥＤを使用する必要があり、上火の火力が強のとき、３個のＬＥＤ全てが点灯するので、やはり消費電力が大きいという問題がある。
そこで、本発明の目的は、上述の従来技術の問題点を解消することにあり、グリルバーナの火力を表示するための発光ダイオードの個数を極力少なくし、かつ乾電池の寿命を延ばすことが可能なガスこんろを提供することにある。
【課題を解決するための手段】
【０００５】
上述の目的を達成すべく、本発明は、少なくとも１つのこんろバーナと、こんろ本体内部に収容されるグリル庫と、グリル庫内に配置されたグリルバーナと、グリルバーナの火力を表示する複数の表示素子を配列したグリル用火力表示部とを備えたガスこんろにおいて、グリル用火力表示部を点灯させる表示装置は、強火用発光ダイオードと、弱火用発光ダイオードと、強火用発光ダイオード及び弱火用発光ダイオードに電気接続する乾電池とを備え、強火用発光ダイオードは、グリル用火力表示部の後方に配置されていて、グリルバーナの火力が強のとき表示素子の全てを点灯させ、弱火用発光ダイオードは、グリルバーナの火力が弱のとき、強火用発光ダイオードの照射光と直交する方向の照射光が所定の表示素子に入射して１個の表示素子のみを点灯させることを特徴とする。
【発明の効果】
【０００６】
本発明のガスこんろは、グリルバーナの火力が強の時、強火用発光ダイオードが点灯され、後方からの照射光により複数の表示素子全体が点灯する。一方、火力が弱の時、弱火用発光ダイオードが点灯され、上記強火用発光ダイオードの照射光と直交する方向からの照射光が所定の表示素子に入射して同表示素子のみが点灯する。
このように、火力表示部を点灯させるために使用されるＬＥＤは、複数の表示素子からなる表示部の１配列当たり計２個で済む。従って、１配列当たり３個のＬＥＤを使用する従来のガスこんろと比較して、ＬＥＤの個数を低減することができる。また、火力が強の場合、全ての表示素子を点灯させるにもかかわらず、表示部の１配列当たり強火用ＬＥＤを１個点灯させればよい。従って、火力が強の時、各表示素子毎にＬＥＤを点灯させるガスこんろと比較して、消費電力を低減することができ、乾電池の寿命を大幅に延ばすことが可能である。
【０００７】
請求項２に係る発明は、弱火用ＬＥＤからの光が照射される所定の表示素子が光透過性部材で構成され、火力表示部に対向する光透過性部材の端部が光の入射側から出射側端縁に向かう傾斜面をなすものである。この発明によれば、光透過性部材の長手方向に対する傾斜角を適宜選定することにより、弱火用ＬＥＤからの光が傾斜面で反射して、光透過性部材端部と対向する火力表示部に出射する光の割合が増加し、所定の表示素子の発光強度を高めることが可能である。
請求項３に係る発明は、複数の表示素子を一列に配置したものである。この発明によれば、表示装置がコンパクト化され、火力表示部における表示素子の配列も簡素化される。また、複数の表示素子がガラスやＰＭＭＡ等の光透過性材質の一体成形により容易に得られるので、表示素子をユニット化することができる。
【０００８】
請求項４に係る発明は、グリルバーナが上火バーナ及び下火バーナから構成され、上火バーナ及び下火バーナの火力をそれぞれ表示するグリル用火力表示部が上下２段に配列された上部表示素子及び下部表示素子からなり、上部表示素子及び下部表示素子に対応してそれぞれ強火用ＬＥＤ及び弱火用ＬＥＤを備え、各弱火用ＬＥＤが所定の上部表示素子の上方及び所定の下部表示素子の下方にそれぞれ配置されるものである。
この発明によれば、火力表示部を点灯させるために使用されるＬＥＤは計４個で済む。従って、６個のＬＥＤを使用していた従来のガスこんろと比較して、ＬＥＤの個数を低減することができる。また、上火及び下火の火力が共に強の場合、上部表示素子及び下部表示素子の全てを点灯させるにもかかわらず、強火用ＬＥＤを僅か２個点灯させればよい。従って、上火及び／又は下火の火力が強の時、従来のガスこんろと比較して、消費電力を大幅に低減することができるので、乾電池の寿命を大幅に延ばすことが可能である。また、グリルバーナの火力が強の時、上部表示素子及び下部表示素子の後方から投光する強火用ＬＥＤの照射光が、弱火用ＬＥＤによって遮られるようなことがない。
請求項５に係る発明は、各強火用ＬＥＤと上部表示素子及び下部表示素子との間に導光筒が介在し、上部表示素子を点灯させる上部の強火用ＬＥＤと下部表示素子を点灯させる下部の強火用ＬＥＤの照射光が互いに干渉しないように、導光筒内に仕切板を設けたものである。この発明によれば、強火用ＬＥＤから照射される光の漏洩がないため、各表示素子の点灯時に照射光を有効に利用することができ、請求項２に係る発明と同様に、各表示素子の発光強度を高めることなどが可能である。
【発明を実施するための最良の形態】
【０００９】
以下、図面を参照して本発明のガスこんろを詳細に説明する。
図１は、カウンタトップの開口に臨む本発明の一実施例を示すガスこんろの斜視図である。ガスこんろ１は、台所のカウンタトップ２に開設した開口３に上面開放の薄型矩形状のこんろ本体４を降下させて、カウンタトップ２の開口縁部に吊持されるドロップインこんろである。図１に示すガスこんろ１では３つのこんろバーナを備えており、こんろ本体４の上面開口を覆う天板５に開設した前寄り左側の開口に標準バーナ６ａ、右側の開口に大バーナ６ｂ、後寄り中央開口に小バーナ６ｃを臨ませている。
ガスこんろ１はその本体４の略中央内部にグリル庫７を備えており、グリル庫７内にグリルバーナが配置されている。標準バーナ６ａは、揚げもの等の複数の調理に使用されるバーナである。標準バーナ６ａには、五徳に鍋（調理容器）を載置したとき、ばねで上向きに付勢された上下動自在の感熱ヘッドに鍋底が接触して、鍋底の温度を検知する鍋底温度センサ６ａ′が設けられている。
【００１０】
こんろ本体４前面の右左に操作摘み８ａ、８ｂ、８ｃ及び８ｄが出没自在に設けられ、各摘み８ａ〜８ｄを押圧することによって、それぞれこんろバーナ６ａ〜６ｃ及びグリルバーナが着火する。また、各摘み８ａ〜８ｃの周囲には複数（５個）の表示ＬＥＤからなるこんろ用火力表示部９ａ〜９ｃが設けられ、各摘み８ａ〜８ｃを回動することによって各バーナ６ａ〜６ｃの火力が調整され、火力表示部９ａ〜９ｃの１つの表示ＬＥＤが点灯する。各火力表示部９ａ〜９ｃは、左から右に向かって弱から強の火力が表示される。一方、摘み８ｄ上方のこんろ本体４前面にはグリル用火力表示部１０が設けられ、摘み８ｄの回動によりグリルバーナの火力が調整される。
グリルバーナの摘み８ｄ下方のこんろ本体４内には、こんろ電源としての乾電池（図示せず）を収容する電池室１１が設けられている。摘み８ａ〜８ｃの下方には、操作スイッチがシートキーで形成されたフラットタイプの操作表示パネル１２が収納される。操作表示パネル１２は、前面の蓋１２ａを押圧すると、手前に進出するように出入自在に構成される。
【００１１】
図２はガスこんろ１のグリル庫の側断面図である。
前記グリル庫７は、略直方体形状のスチール製であり、その前面のグリル扉１３には把手１４が取り付けられている。グリル庫７の底板上には上面開放の内ケース１５が摺動自在に設けられ、内ケース１５上にグリル皿１６が載置される。また、グリル皿１６上縁の水平鍔部１６ａの角部には、被調理物を支持する焼き網１７の脚部１７ａが着脱自在に係止される。グリル扉１３の裏面下部には内ケース１５の前面板１５ａが固着され、把手１４を前方に引っ張るか後方に押し込むことによって、内ケース１５と一緒にグリル皿１６及び焼き網１７がグリル庫７から出し入れされる。
グリル庫７の天井部に上火バーナ１８が設置され、焼き網１７下方のグリル庫７の両内側壁に下火バーナ１９が設置されている。上火バーナ１８は、多数のガス噴出口１８ａを有するセラミック製プレートを装着した多孔燃焼プレート式バーナで構成される。左右の下火バーナ１９は、多数の炎口１９ａが列設されたブンゼン式バーナで構成され、グリル庫７の側壁から突出するように設けられている。また、下火バーナ１９の後端部は、グリルケースの後面板に固着されたブラケット２０に支持されている。そして、上火バーナー１８及び下火バーナー１９は、左前面パネルに取付けられた摘み８ｄの押圧操作と回動操作により、点火及び消火と火力が制御される。
更に、焼き網１７より上方のグリル庫７後部には、ガスこんろ１の天板５に設けた排気口２１に連通する排気筒２２が連結されている。
【００１２】
次に、図３，４を参照して、グリル用火力表示装置について具体的に説明する。なお、両図面は、火力表示装置の構造の理解を容易にするために、グリルバーナの操作摘みを取り除いたガスこんろの左前面パネルの平面図及び火力表示装置の分解斜視図である。
図３(Ａ)において、符号３０はガスこんろ１の左前面パネルである。パネル３０表面は、上部及び下部がアルミ製板材３１ａ，３１ｂで被覆され、中央部が透明樹脂板３１ｃで被覆されている。透明樹脂板３１ｃ裏面のパネル本体３２には、左側に前記グリル用火力表示部１０の上部透孔３３ａ〜３３ｃ及び下部透孔３４ａ〜３４ｃが上下２段に形成され、右側に摘み８ｄの開口３５が形成されている。また、下部透孔３４ａ〜３４ｃの下方には透孔３６が形成され、電池交換サイン用ＬＥＤ３７が透孔３６の後方に位置する。
【００１３】
図３(Ｂ)，図４において、グリル用火力表示装置Ａは、前記左前面パネル３０、それぞれ３個の表示素子からなる上部表示素子４０及び下部表示素子４１、弱火用ＬＥＤが取り付けられた第一の基板５０、強火用ＬＥＤからの光を導光する導光筒６０、及び強火用ＬＥＤが取り付けられた第二の基板７０から着脱自在に構成される。
左前面パネル３０の裏面には、その外周縁と間隔を介して、上下側壁４２ａ，４２ｂ及び左右側壁４２ｃ，４２ｄからなる筒状の側壁４２が一体に立設されている。左右側壁４２ｃ，４２ｄは更に側壁部が後方に延びており、その後端面に第二の基板７０の両側縁が載置される。上下側壁４２ａ，４２ｂに隣接するパネル３０の外周部には、それぞれ、左前面部のこんろ本体４内部に設けられたステイにネジ止めされるネジ孔付きの受座４３ａ，４３ｂ及び４３ｃ，４３ｄが突設されている。
【００１４】
側壁４２の内部は帯状の上部及び下部を除いて肉厚部３０ａとなっていて、肉厚部３０ａに前記上部透孔３３ａ〜３３ｃ及び下部透孔３４ａ〜３４ｃと摘み８ｄの開口３５とが形成されている。開口３５の外部には、第一の基板５０を載置する３つの浅い受座４４ａ，４４ｂ，４４ｃが突設されている。受座４４ａ〜４４ｃには、それぞれネジ孔が穿孔されている。また、上下側壁４２ａ，４２ｂの内面に接してその端縁にまで延びる受座４５ａ，４５ｂが突設され、受座４５ａ，４５ｂは第二の基板７０を支持する。受座４５ａ，４５ｂには、それぞれネジ孔が穿孔されている。
左側壁４２ｃに隣接する肉厚部３０ａの一側に矩形状の浅い凹部３０ｂが形成されていて、上述の透孔３３ａ〜３３ｃ；３４ａ〜３４ｃが凹部３０ｂ内に形成されている。左側壁４２ｃと対向する凹部３０ｂの一側中央に、第一の基板５０を位置規制する位置規制壁４６が立設され、上部透孔３３ａ〜３３ｃと下部透孔３４ａ〜３４ｃの中間に区画壁４７が立設されている。また、透孔３３ａと透孔３３ｂの間及び透孔３３ｂと透孔３３ｃの間に、弱火用ＬＥＤの両側にまで延びる一対の仕切壁４８ａ，４８ａが立設されている。同様に、透孔３４ａと透孔３４ｂの間及び透孔３４ｂと透孔３４ｃの間に、一対の仕切壁４８ｂ，４８ｂが立設されている。各仕切壁４８ａ及び仕切壁４８ｂに対向する区画壁４７の両面には、４本の突条４７ａが突設されている。
更に、パネル３０の裏面には、左側壁４２ｃと仕切壁４８ｂの一部と共同して、前記透孔３６を囲繞する小さな筺状の周壁４９が立設されている。
【００１５】
上部表示素子４０及び下部表示素子４１は、ＰＭＭＡ、ガラス等の光透過性の材質からなり、それぞれ上火バーナ１８及び下火バーナ１９の火力を表示する。各表示素子４０，４１は、互換性を有する同一構造をなすので、以下に上部表示素子４０の構造について説明する。
上部表示素子４０は、図５に示すように、矩形状の基部４０ａと、その上に間隔を介して一体に設けられた３個の表示素子４０ｂ〜４０ｄとから構成される。両側の表示素子４０ｂ，４０ｄは、水平断面が扁平な楕円形状をなす。中央の表示素子４０ｃは、端面が平坦であり、高さ方向の寸法が表示素子４０ｂ，４０ｄより長い扁平な楕円形状の棒状体から構成される。表示素子４０ｂ，４０ｄは、前記グリル用火力表示部１０に対向する後端面が基部４０ａ（火力表示部１０側）に向かう傾斜面４０Ｂ，４０Ｄを備えている。一方、表示素子４０ｃは表示素子４０ｂ，４０ｄと同じ傾斜面４０Ｃを備えているが、棒状体の上部には傾斜面が存在しない。また、各表示素子４０ｂ〜４０ｄの前面部は、上部透孔３３ａ〜３３ｃが形成された左前面パネル３０の肉厚分だけ、基部４０ａの前面から突出している。
このような上部表示素子４０をパネル３０裏面に装着する際、基部４０ａは２つの突条４７ａと仕切壁４８ａ，４８ａの各端面との間に前記区画壁４７に沿って嵌入され、表示素子４０ｃは一対の仕切壁４８ａ，４８ａの間に位置する。即ち、上部表示素子４０は、透孔３３ａ〜３３ｃ、区画壁４７及び仕切壁４８ａ，４８ａによって位置決めされる。基部４１ａと表示素子４１ｂ〜４１ｄとから構成される下部表示素子４１は、パネル３０裏面に装着する際、高さ方向が上部表示素子４０と逆になるだけであり、同様にして、下部透孔３４ａ〜３４ｃ、区画壁４７及び仕切壁４８ｂ，４８ｂによって位置決めされる。
【００１６】
第一の基板５０は、側壁４２の内面より縦横（高さ方向と幅方向）の寸法が僅かに短く、前記受座４４ａ〜４４ｃに取り付けられる。基板５０の左側には、導光筒６０を装着するためのコ字状の切欠き５１が形成されている。切欠き５１の高さ方向の側辺５１ａは、火力表示装置Ａの組立の際、前記位置規制壁４６に当接する。基板５０の右側の略中央には、摘み８ｄの開口３５より大径の開口５２が形成されている。また、基板５０には、受座４４ａ〜４４ｃのネジ孔及び前記受座４５ａに対応する箇所に、それぞれネジ孔５３ａ〜５３ｃ及び半円状の切欠き５４が形成されている。
左前面パネル３０に面する基板５０表面には、上火バーナ１８及び下火バーナ１９，１９の火力が弱燃焼状態（弱火）にあることを表示するための弱火用ＬＥＤ５５，５６と、前記電池交換サイン用ＬＥＤ３７が取り付けられている。上方の弱火用ＬＥＤ５５は、一対の仕切壁４８ａ，４８ａ間の上端部近傍に位置し、上部表示素子４０の中央の表示素子４０ｃを上方から照射する。下方の弱火用ＬＥＤ５６は、一対の仕切壁４８ｂ，４８ｂ間の下端部近傍に位置し、下部表示素子４１の中央の表示素子４１ｃを下方から照射する。電池交換サイン用ＬＥＤ３７は周壁４９内に位置する。
第一の基板５０の裏面には、ガスこんろ１の制御部を介して電池室１１に収容される乾電池に接続する接続部５７が取り付けられ、基板５０表面に貫通する接続端子５７ａが接続部５７内に並設されている。基板５０の表裏面には、上記弱火用ＬＥＤ５５，５６及び電池交換サイン用ＬＥＤ３７と接続端子５７ａとを接続する配線５８が施されている（表面側の配線のみ図示）。そして、上記ネジ孔５３ａ〜５３ｃを受座４４ａ〜４４ｃのネジ孔に合致させて、これらのネジ孔にネジを挿通してネジ止めすることにより、第一の基板５０が左前面パネル３０に固定される。
【００１７】
導光筒６０は、前記凹部３０ｂの外周縁部上に配置され、各強火用ＬＥＤからの光の漏洩を防止する。導光筒６０内の中央には、前記区画壁４７上に沿って、上部表示素子４０と下部表示素子４１を区画するための仕切板６１が設けられている。導光筒６０の左右の壁体先端部には、位置規制壁４６の高さ寸法と同程度の深さを有するコ字状の切欠き６２，６２が形成されている。各切欠き６２の高さ方向の側辺からは、その開口内に係合片６２ａが一体に突設されている。係合片６２ａは先端部に突条を有し、突条が区画壁４７に対向して位置規制壁４６及び左側壁４２ｃの前面部に形成された開口縁（図示せず）に係合する。
上記仕切板６１の先端には、両端が切欠き６２，６２の高さ方向の側辺に達する干渉防止片６３が一体に形成され、各強火用ＬＥＤからの光の干渉を防止する。また、導光筒６０の上下の壁体先端部には、切欠き６２の深さとほぼ同程度の深さを有するコ字状の切欠き６４，６４が形成され、切欠き６４，６４内にそれぞれ一対の仕切壁４８ａ，４８ａ；４８ｂ，４８ｂが案内される。
【００１８】
第二の基板７０表面には、所定の間隔を設けて金属板７１が取り付けられる。金属板７１の上辺左側は帯状に切り欠かれ、その左側端部は後方（基板７０側）及び上方に折曲していて、上方向に折曲した折曲片７１ａにネジ孔７１ａ′が穿孔されている。また、金属板７１の上辺右側と下辺は、前方及びそれぞれ上方と下方に折曲していて、上下方向に折曲した折曲片７２ａ，７２ｂは前記受座４５ａ，４５ｂに当接する。折曲片７２ａ，７２ｂには、受座４５ａ，４５ｂのネジ孔と合致するネジ孔７２ａ′，７２ｂ′が穿孔されている。
金属板７１の右側には、前記グリルバーナ１８，１９の操作摘み８ｄの操作軸７３が回動自在に取り付けられ、金属板７１裏面に操作軸７３の回転角を検出するエンコーダ（図示せず）が設けられている。操作軸７３の周囲には、ハ字状で長方形の開口７４，７４が形成されている。各開口７４内には、片持ちバネ式マイクロスイッチ７５ａを有する制御部材７５が貫入している。エンコーダ及び制御部材７５の裏面には、第二の基板７０を貫通する接続端子が並設されている。そして、ネジ孔７１ａ′を基板７０に穿孔されたネジ孔に合致させてネジ止めすることにより、基板７０が金属板７１に固着される。
【００１９】
金属板７１の左側の一側部には、矩形状の透孔７６，７７が上下２段に開口している。透孔７６の下辺及び透孔７７の上辺からはそれぞれ折曲片７６ａ，７７ａが前方に折曲していて、折曲片７６ａ，７７ａの間に前記仕切板６１の後端部が位置する。また、第二の基板７０表面には、それぞれ透孔７６，７７に臨むように、上火バーナ１８及び下火バーナ１９の火力が強燃焼状態（強火）にあることを表示する強火用ＬＥＤ７８，７９が取り付けられている。
更に、第二の基板７０の表面には、ガスこんろ１の制御部を介して電池室１１に収容される乾電池に接続する接続部８０が取り付けられ、接続部８０内に基板７０裏面に貫通する接続端子８０ａが並設されている。基板７０の裏面には、強火用ＬＥＤ７８，７９と上記エンコーダ及び制御部材７５の各接続端子と接続端子８０ａとを接続する配線（図示せず）が施されている。
そして、基板７０の左右両側縁を左右側壁４２ｃ，４２ｄの後端面に載置し、ネジ孔７２ａ′，７２ｂ′を受座４５ａ，４５ｂのネジ孔に合致させてネジ止めすることにより、第二の基板７０が左前面パネル３０に固定される。
【００２０】
本発明の上下グリルバーナの点火及び消火と各バーナの火力調整を以下に説明する。
グリルバーナ１８，１９の操作摘み８ｄが左前面パネル３０内に没入している状態では、各マイクロスイッチ７５ａはオンの状態にあり、グリルバーナ１８，１９の上流に設けられたガス弁は閉成した状態にある。このような状態で操作摘み８ｄを押圧すると、摘み８ｄ部分がパネル３０上に突出すると共に各マイクロスイッチ７５ａがオフの状態に切り替わり、燃料ガスがグリルバーナ１８，１９に供給される。同時に、各バーナ１８，１９の点火器が火花放電して、上火バーナ１８及び下火バーナ１９，１９が点火する。
燃焼中の上火バーナ１８及び下火バーナ１９は、共に強火と弱火の状態に切り替え可能であり、摘み８ｄに連結する操作軸７３の回動により、火力が強−強，強−弱，弱−強，弱−弱の４通りに制御される。即ち、前記エンコーダが操作軸７３の回転角を検出し、操作軸７３が所定の回転角ほど回動する毎に、各バーナのガス流路中に設けられた回転軸をステッピングモータにより回転駆動させて、回転軸に取り付けられた回転ディスクを通過する燃料ガスの供給量を制御することによって、例えば、着火時の強−強の火力状態から、上記強−弱、弱−強及び弱−弱の火力に順次切り替えるように設定されている。
そして、摘み８ｄを再び押圧すると、摘み８ｄがパネル３０内に面一に没入してグリルバーナ１８，１９が消火する。
【００２１】
ここで、（１）上火バーナ１８及び下火バーナ１９，１９の火力が強−強の時は、強火用ＬＥＤ７８，７９が点灯し、上部表示素子４０の表示素子４０ｂ〜４０ｄ全体及び下部表示素子４１の表示素子４１ｂ〜４１ｄ全体の点灯を上下２段のグリル用火力表示部１０に表示する。（２）上火バーナ１８の火力が強で下火バーナ１９の火力が弱の時は、上部強火用ＬＥＤ７８及び下部弱火用ＬＥＤ５６が点灯し、上部表示素子４０全体及び下部表示素子４１の中央の表示素子４１ｃの点灯を火力表示部１０に表示する。（３）上火バーナ１８の火力が弱で下火バーナ１９の火力が強の時は、上部弱火用ＬＥＤ５５及び下部強火用ＬＥＤ７９が点灯し、上部表示素子４０の中央の表示素子４０ｃ及び下部表示素子４１全体の点灯を火力表示部１０に表示する。（４）上火バーナ１８及び下火バーナ１９の火力が弱−弱の時は、弱火用ＬＥＤ５５，５６が点灯し、中央の上部表示素子４０ｃ及び中央の下部表示素子４１ｃの点灯を火力表示部１０に表示する。
このように、グリル庫７内部に設置された上火バーナ１８及び下火バーナ１９，１９の火力の状態を視認しなくても、これらの火力の状態をグリル用火力表示部１０によって容易に確認することができる。
【００２２】
本実施例においては、使用されるＬＥＤの個数が４個で済む。しかも、グリルバーナ１８，１９の火力がいずれの状態でも、２個のＬＥＤを点灯させればよい。特に、上火バーナ１８及び下火バーナ１９，１９の火力が共に強の場合、僅か２個の強火用ＬＥＤ７８，７９を点灯させるだけで、両バーナの火力が強であることをグリル用火力表示部１０に表示できる。従って、上火又は下火の火力が強の場合、６個のＬＥＤを点灯させていた従来のガスこんろと比較して、消費電力を１／３に低減することができるので、乾電池の寿命を大幅に延ばすことが可能である。
また、上部表示素子４０及び下部表示素子４１がそれぞれ３個の表示素子４０ｂ〜４０ｄ及び表示素子４１ｂ〜４１ｄから構成されるので、グリル用火力表示部１０における表示素子４０ｂ〜４０ｄ；４１ｂ〜４１ｄの配列が簡素化される。しかも、上火バーナ１８又は下火バーナ１９の火力が弱の時には、中央の表示素子４０ｃ又は４１ｃのみが点灯するので、見栄えが向上する。
弱火用ＬＥＤ５５；５６からの光が照射される表示素子４０ｃ；４１ｃと隣接する表示素子４０ｂ，４０ｄ；４１ｂ，４１ｄの間に、弱火用ＬＥＤ５５；５６の両側にまで延びる仕切壁４８ａ，４８ａ；４８ｂ，４８ｂを設けているので、グリルバーナ１８；１９の火力が弱の時、表示素子４０ｃ；４１ｃに弱火用ＬＥＤ５５；５６からの照射光を確実に投光することができる。従って、表示素子４０ｃ，４１ｃの発光強度を高めることができる。あるいは、弱火用ＬＥＤ５５，５６として低電力のＬＥＤの使用が可能である。
更に、配線が施された第一の基板５０及び第二の基板７０に、それぞれ弱火用ＬＥＤ５５，５６及び強火用ＬＥＤ７８，７９を取り付けているので、第一の基板５０及び第二の基板７０を配線基板としてユニット化することが可能である。しかも、表示装置Ａへの弱火用ＬＥＤ５５，５６及び強火用ＬＥＤ７８，７９の組み付け作業が簡素化される。
【００２３】
以上のようなガスこんろ１は、上部表示素子４０及び下部表示素子４１がそれぞれ３個の表示素子からなり、グリルバーナが上火バーナ１８及び下火バーナ１９，１９から構成されているが、本発明は以上の実施例に限定されるものではない。
本発明においては、各表示素子４０，４１の表示素子は複数個存在すればよい。表示素子の個数が例えば２個の場合、２つの表示素子の間に１つの仕切壁４８ａ，４８ｂを立設すればよく、上火バーナ１８や下火バーナ１９，１９が弱火であるときは、２個の表示素子のいずれか一方に弱火用ＬＥＤ５５，５６からの光が照射される。また、表示素子の個数が例えば５個の場合、好ましくは各表示素子４０，４１の中央の表示素子を挟むように一対の仕切壁４８ａ，４８ａ；４８ｂ，４８ｂを立設させ、上火バーナ１８や下火バーナ１９，１９が弱火であるときは、弱火用ＬＥＤ５５，５６からの光が好ましくは中央の表示素子に照射される。
本発明のガスこんろにおいては、下火バーナ１９，１９を設けずに上火バーナ１８だけでグリルバーナを構成してもよい。その場合、下部透孔３４ａ〜３４ｃを含むグリル用火力表示部１０の下段の表示部、下部表示素子４１、区画壁４７、下部弱火用ＬＥＤ５６及び下部強火用ＬＥＤ７９、仕切板６１及び干渉防止片６３、下方の透孔７７等は不要となる。また、上火バーナ１８の火力も強−弱のいずれかに制御すればよい。
更に、上火バーナ１８や下火バーナ１９，１９が弱火であるときに点灯されない表示素子４０ｂ，４０ｄ；４１ｂ，４１ｄは、必ずしも傾斜面４０Ｂ，４０Ｄ；４１Ｂ，４１Ｄを備える必要がない。更に場合によっては、例えば操作摘み８ｄの回動操作などにより、グリルバーナの燃焼状態が強火及び弱火の範囲内で、それぞれ火力を無段階又は段階的に調整する機能を付加してもよい。
【図面の簡単な説明】
【００２４】
【図１】カウンタトップの開口に臨む本発明の一実施例を示すガスこんろの斜視図である。
【図２】図１に示すガスこんろのグリル庫の側断面図である。
【図３】図３(Ａ)及び(Ｂ)は、図１に示すガスこんろの左前面パネルの正面図及び裏面図である。
【図４】図１に示すガスこんろのグリル用火力表示部を含む表示装置の分解斜視図である。
【図５】上部又は下部表示素子の拡大斜視図である。
【図６】従来のガスこんろのグリル用火力表示部の説明図である。
【符号の説明】
【００２５】
１・・・ ガスこんろ、４・・・ こんろ本体、６ａ〜６ｃ・・・ こんろバーナ、７・・・ グリル庫、１０・・・ グリル用火力表示部、１１・・・ 電池室、１８・・・ 上火バーナ、１９・・・ 下火バーナ、４０・・・ 上部表示素子、４０ｂ〜４０ｄ・・・ 表示素子、４０Ｂ〜４０Ｄ・・・ 傾斜面、４１・・・ 下部表示素子、４１ｂ〜４１ｄ・・・ 表示素子、４１Ｂ〜４１Ｄ・・・ 傾斜面、５５，５６・・・ 弱火用発光ダイオード、６０・・・ 導光筒、６１・・・ 仕切板、７８，７９・・・ 強火用発光ダイオード、Ａ・・・ グリル用火力表示装置。
【図１】
2006288450.tif 000003
【図２】
2006288450.tif 000004
【図３】
2006288450.tif 000005
【図４】
2006288450.tif 000006
【図５】
2006288450.tif 000007
【図６】
2006288450.tif 000008